(57)【要約】【課題】シンプルな構成の靴用挿入具の提供。【解決手段】靴用挿入具１０は、中心部の線分２０に対して左右対称なシート状の本体３０，３２と、この本体３０，３２上、線分２０とは離れた側に位置する保持部４０とを備える。保持部４０は、内部に消臭、除菌、乾燥などの作用をする機能性材料を保持する、不織布製の袋から構成される。靴用挿入具１０は、シート状の本体３０，３２と保持部４０とを対としたシンプルな構成であり、しかも、対であるために、対の靴に適合する。【選択図】図１
0003202131.tif 000002
【実用新案登録請求の範囲】
【請求項１】
靴の中に挿入し、その靴に必要な消臭、除菌、乾燥などの清浄化あるいは快適化のためのいずれかの機能を果たす靴用挿入具であって、中心部の線分に対して左右対称なシート状の本体と、この本体上、前記線分とは離れた側に位置し、前記いずれかの機能をもつ機能性材料を保持する保持部とを備え、次の構成および条件を充足する、靴用挿入具。
（Ａ）前記シート状の本体は、前記線分を中心にして折られ、左右の前記保持部が互いに向かい合う形態である。
（Ｂ）前記シート状の本体は、前記線分の一方側に位置し、かつ、その線分から前記保持部に向かう側にわたる部分に凹み部を含み、それにより、前記本体は、保持部のある側に比べて、前記凹み部のある側の幅が小さい。
【請求項２】
前記凹み部は、前記線分から、前記保持部に隣接する位置まで続く、請求項１の靴用挿入具。
【請求項３】
前記シート状の本体を展開するとき、前記凹み部の側が作る、前記本体の左右の角度は、４５°〜１８０°の範囲である、請求項１の靴用挿入具。
【請求項４】
前記シート状の本体は、前記線分および前記凹み部に隣接した位置に、前記本体を貫通する貫通穴を備え、その貫通穴をフック用あるいは靴への挿入のためのつまみ部分とする、請求項１の靴用挿入具。
【請求項５】
前記貫通穴は、前記シート状の本体の前記保持部の部分における幅方向を二分する中心線に関し、前記凹み部とは反対側に位置する、請求項４の靴用挿入具。
【考案の詳細な説明】
【技術分野】
【０００１】
この考案は、靴の中に挿入し、その靴に必要な消臭、除菌、乾燥などを含む、清浄化あるいは快適化のためのいずれかの機能を果たす靴用挿入具であって、特には、使い勝手が良い靴用挿入具に関する。
【背景技術】
【０００２】
靴、特には使用後の靴を消臭、除菌あるいは乾燥することなどによって、靴を常に清浄化あるいは快適化することが好ましい。それに応える技術として、消臭などの作用をする機能性材料を、靴の中に直接配置することが知られている。その技術では、機能性材料は、使い勝手の点から、通常、袋や容器に入れた形態で靴の中に挿入される。
【０００３】
たとえば、特許文献１では、ティーバッグ状の袋に機能性材料を封入し、その袋を靴の中に入れている。また、特許文献２では、機能性材料を入れる袋をひも状のリボンで連結し、一対とすることにより、靴が一対であることに対応させている。さらには、特許文献３では、機能性材料を入れる袋自体を布製の対の一体物とし、しかも、袋を開閉可能として機能性材料を交換可能としている。
【先行技術文献】
【特許文献】
【０００４】
【特許文献１】実用新案登録第３１２６３８８号公報
【特許文献２】実用新案登録第３０９０４８９号公報
【特許文献３】実用新案登録第３０６５５０７号公報
【考案の概要】
【考案が解決しようとする課題】
【０００５】
用途が靴であることを考えると、この種の靴用挿入具は、使い捨てにするのが良く、しかもまた、一つの靴用挿入具に対して、機能性材料を対の構成にするのが良い。そしてまた、機能性材料を有効に作用させるために、その材料を靴の中に所定の姿勢で配置することが望まれる。
【０００６】
そこで、この考案では、対の態様を含む上、靴の中に所定の姿勢に挿入し配置することが容易な靴用挿入具を提供することを目的とする。
【０００７】
また、この考案は、シンプルな構成であり、安価に製造することができ、使い捨てタイプとして有効な靴用挿入具を提供することを他の目的とする。この考案のさらなる目的については、今後の説明から明らかになるであろう。
【課題を解決するための手段】
【０００８】
この考案の靴用挿入具１０は、靴の中に入れて、靴を常に清浄化あるいは快適化するためのものであり、使用状態の一例である図１に示すように、基本的に、中心部の線分２０に対して左右対称なシート状の本体３０，３２と、この本体３０，３２上、線分２０とは離れた側に位置し、たとえば、消臭、除菌、乾燥などの作用をする機能性材料を保持する保持部４０とを備える。そして、そのような靴用挿入具１０は、さらに、次の構成および条件を充足する。
（Ａ）シート状の本体３０，３２は、線分２０を中心に折られ、左右の保持部４０が互いに向かう合う形態である。
（Ｂ）各シート状の本体３０，３２は、線分の２０一方側に位置し、かつ、その線分２０から保持部４０に向かう側にわたる部分に凹み部５０ａ，５０ｂを含み、それにより、シート状の本体３０，３２は、保持部４０のある側に比べて、凹み部５０ａ，５０ｂのある側の幅が小さい。
【０００９】
ここで、保持部４０は、一般的に、たとえば、不織物から構成した通気性の袋である。その内部に、機能性材料として、たとえば、粒状あるいは粉状の消臭剤、除菌剤、乾燥剤などを保持している。そのような保持部４０は、シート状の本体３０，３２に接着することもできるし、本体３０，３２側に、外側から袋を差し込むことができる収納空間を構成し、その収納空間に袋を入れるようにすることもできる。たとえば、シート状の本体３０，３２自体の長さを大きくし、余分な長さ分を折り返すことにより、収納空間を構成することができる。収納空間の内外を通気させるため、余分な長さ分の本体に通気穴を設ける。勿論、本体３０，３２を通気性の材料で構成する場合などには、追加的な通気穴は不要である。
【００１０】
各シート状の本体３０，３２の凹み部５０ａ，５０ｂは、一番上の線分２０から、保持部４０に隣接する位置まで続く。そのような凹み部５０ａ，５０ｂは、靴用挿入具１０を使用しようとする者に対し、凹み部５０ａ，５０ｂを前方にして靴用挿入具１０をつまんで持つようにさせる。すなわち、凹み部５０ａ，５０ｂは、靴に対する靴用挿入具１０の挿入方向を自ずと規制することになる。
【００１１】
各シート状の本体３０，３２は、互いに同一形状で同じ大きさである。靴の種類、たとえば、子供用、大人用、あるいは、短靴用、長靴用に合わせて、線分２０から保持部４０に向かう方向の長さを変えることができる。
【００１２】
靴用挿入具１０を展開、言い換えると、シート状の本体３０，３２を広げると、左右の本体３０，３２は、展開した一例である図２に示すように、互いに角度αで交差する。この交差する角度αは、４５°〜１８０°であり、好ましくは、１００°〜１４０°、最も好ましくは、１２０°である。角度αが１８０°の場合、線分２０は水平であり、角度αが小さくなるにつれて、線分２０は凹み部５０ａ，５０ｂ側に向かう下がり傾斜を大きくする。この線分２０の下がり傾斜は、凹み部５０ａ，５０ｂと相俟って、靴に対する靴用挿入具１０の挿入方向を有効に規制する。勿論、シート状の本体３０，３２の表側の表面（つまり、保持部４０とは反対側の面）に、靴用挿入具１０の挿入方向をイメージする文字や図案を設けることもできる。
【００１３】
この考案の好ましい一実施例において、シート状の本体３０，３２は、線分２０および凹み部５０ａ，５０ｂに隣接した位置に、本体３０，３２を貫通する貫通穴６０を備え、その貫通穴６０をフック用あるいは靴への挿入のためのつまみ部分として利用する。
【００１４】
線分２０近くの貫通穴６０は、シート状の本体３０，３２の保持部４０における幅方向を二分する中心線に関し、凹み部５０ａ，５０ｂとは反対側に位置するようにすると良い。その配置により、貫通穴６０の部分をつかんで靴用挿入具１０を支持するとき、靴用挿入具１０に対し、保持部４０のある下部が前方に動きやすいモーメントを生じるからである。そのような傾向によって、靴用挿入具１０を靴の中に挿入しやすくなる。
【図面の簡単な説明】
【００１５】
【図１】この考案の靴用挿入具の使用例を示す斜視図である。
【図２】この考案の靴用挿入具を展開した状態を示す図である。
【図３】この考案の靴用挿入具の正面図である。
【図４】この考案の靴用挿入具の側面図である。
【考案を実施するための形態】
【００１６】
図１に示すように、この考案の靴用挿入具１０は、線分２０を境にして、同一ないしは対称的な構造を備える。シート状の本体３０（３２）、およびその内面に配置した保持部４０を含む構造である。そこで、対のシート状の本体３０，３２を備えることにより、対の靴のそれぞれに挿入することができる。
【００１７】
各シート状の本体３０，３２は、たとえば、紙製であり、大きさが、たとえば、幅４〜５ｃｍ、長さ１０〜１２ｃｍほどである。また、保持部４０は、不織布製の四角い袋であり、その中には、たとえば、徐効性にすぐれた、顆粒状二酸化塩素ガス発生剤（株式会社大阪ソーダ製）を機能性材料として収納してある。ここでは、不織布製の袋をシート状の本体３０,３２に直接接着しているので、袋内部の機能性材料が発生する二酸化塩素ガスは、安定した濃度で袋の外、つまり、靴の中に及ぶ。それにより、靴の内側を除菌し、靴の中の嫌な臭いを有効に消臭する。
【００１８】
紙製のシート状の本体３０，３２および顆粒状二酸化塩素ガス発生剤を含む靴用挿入具１０は、大変に軽く、シンプルである。この機能性材料は、特に、徐効性にすぐれ、靴への挿入後、たとえば数か月の間、有効に機能する。そこで、靴用挿入具１０は、適当な期間だけ使用し、その後、適当な時期に使い捨てにすることができる。なお、使い捨ての形態として、一定期間の使用後、機能性材料およびシート状の本体３０，３２を含む靴用挿入具１０を一度に使い捨てにすることができるし、あるいはまた、シート状の本体３０，３２自体を再利用して複数回使用することにし、機能性材料あるいは機能性材料を含む保持部４０だけを新しいものと交換し、さらなる一定期間の使用後に全体を使い捨てにすることもできる。
【００１９】
図に示す実施例では、凹み部５０ａ，５０ｂの下方に位置する、シート状の本体３０，３２の一部を靴の外に出すようにしているが、凹み部５０ａ，５０ｂの長さを大きくすることにより、凹み部５０ａ，５０ｂの下端を靴の中に配置するようにすることもできる。
【００２０】
また、製作をより容易にするため、図に示す実施例では、保持部４０のあるシート状の本体３０，３２の幅を長さ方向にわたって同じにしているが、保持部４０を含む本体３０、３２の部分について、線分２０から離れるにつれて大きくし、靴の中で靴用挿入具の座りを良くすることができる。さらには、シート状の本体３０，３２の輪郭（プロフィール）を動物やタワーなどのそれに模し、靴用挿入具に親近感を持たせることもできる。
【符号の説明】
【００２１】
１０  靴用挿入具
２０  線分
３０，３２  シート状の本体
４０  保持部
５０ａ，５０ｂ  凹み部
６０  貫通穴
【図１】
0003202131.tif 000003
【図２】
0003202131.tif 000004
【図３】
0003202131.tif 000005
【図４】
0003202131.tif 000006